(57)【要約】【課題】反転用切換部材の脱落を防止しつつ、省スペース化および軽量化を図る。【解決手段】ロータに設けられ、釣糸放出位置に反転させたベール支持部材２ｄに連動してリール本体１側に移動する移動部材と、リール本体１に設けられ、ロータ２の釣糸巻取方向の回転により移動部材に当接して、釣糸放出位置にあるベール支持部材２ｄを釣糸巻取位置に復帰させる反転用切換部材２０と、ロータ２の内側においてリール本体１の前部に装着された円筒状のキャップ部材１５とを備え、反転用切換部材２０は、リール本体１に対するキャップ部材１５の装着により、リール本体１に抜け止め固定されている構成とした。【選択図】図３
2012239451.tif 000002
【特許請求の範囲】
【請求項１】
リール本体と、前記リール本体に設けられ、ハンドルの巻取操作に連動回転するロータと、前記ロータのアーム部に設けられ、釣糸巻取位置と釣糸放出位置とに反転自在に支持されたベール支持部材と、前記ロータに設けられ、釣糸放出位置に反転させた前記ベール支持部材に連動して前記リール本体側に移動する移動部材と、前記リール本体に設けられ、前記ロータの釣糸巻取方向の回転により前記移動部材に当接して、釣糸放出位置にある前記ベール支持部材を釣糸巻取位置に復帰させる反転用切換部材と、を備えた魚釣用スピニングリールであって、
前記ロータの内側において前記リール本体の前部に装着された円筒状のキャップ部材を備え、
前記反転用切換部材は、前記リール本体に対する前記キャップ部材の装着により、前記リール本体に抜け止め固定されていることを特徴とする魚釣用スピニングリール。
【請求項２】
前記リール本体における前記反転用切換部材の取付部位には、係止受部およびボス部が設けられており、
前記反転用切換部材には、前記係止受部に係止されるフック部と、前記ボス部に嵌合される嵌合部と、が設けられていることを特徴とする請求項１に記載の魚釣用スピニングリール。
【請求項３】
前記キャップ部材は、当該キャップ部材の内方から前記反転用切換部材に向けて突出形成された突出部を備えており、前記突出部は、前記リール本体との間に前記反転用切換部材を抜け止め固定することを特徴とする請求項１または請求項２に記載の魚釣用スピニングリール。
【発明の詳細な説明】
【技術分野】
【０００１】
本発明は、魚釣用スピニングリールに関する。
【背景技術】
【０００２】
従来の一般的な魚釣用スピニングリールは、リール本体に回転可能に支持されたロータに釣糸案内部を有するベール支持部材が設けられており、このベール支持部材が釣糸巻取位置から釣糸放出位置へ回転可能に支持された構成となっている。そして、ロータは、ハンドルを回転操作することで、リール本体内に収容された駆動機構を介して回転駆動されるようになっており、また、駆動機構によって往復動されるスプールに対して、釣糸が釣糸案内部を介して巻回されるようになっている。
【０００３】
そして、釣糸放出時には、ベール支持部材を釣糸巻取位置から釣糸放出位置へ反転操作して釣糸を放出し、釣糸放出後には、ベール支持部材を元の釣糸巻取位置に返してハンドルを回転操作することにより釣糸案内部を介してスプールに釣糸が巻回されるようになっている。
【０００４】
ところで、魚釣用スピニングリールに備わる機構として、ハンドルの回転操作により釣糸放出位置にされたベール支持部材を釣糸巻取位置に自動的に反転復帰させる反転復帰機構が知られている。
反転復帰機構は、ロータに設けられ、釣糸放出位置に反転させたベール支持部材に連動してリール本体側に移動する移動部材と、リール本体に設けられ、ロータの釣糸巻取方向の回転により移動部材に当接して、釣糸放出位置にあるベール支持部材を釣糸巻取位置に復帰させる反転用切換部材と、を備えて構成されたものが知られている（例えば、特許文献１、２参照）。
【０００５】
このうち、特許文献１の魚釣用スピニングリールは、反転用切換部材がリール本体のフランジ部においてリールボディと蓋部材との間に挟持されて固定される構造を有している。
また、特許文献２の魚釣用スピニングリールは、反転用切換部材がリール本体にねじによって固定される構造を有している。
【先行技術文献】
【特許文献】
【０００６】
【特許文献１】特開２００１−２９９１６１号公報
【特許文献２】特開２００３−２７４８１８号公報
【発明の概要】
【発明が解決しようとする課題】
【０００７】
特許文献１の魚釣用スピニングリールでは、リールボディと蓋部材との間に反転用切換部材に形成されたくびれ部を挟み込んでいるだけであるので、反転用切換部材の抜け方向の押さえが不十分であり、抜け落ちが生じるおそれがあった。
【０００８】
また、特許文献２の魚釣用スピニングリールでは、ねじによる固定のためのスペースが必要であり、これによる重量増の改善を図りたいという要望があった。
【０００９】
本発明は、前記問題を解決するためになされたものであり、反転用切換部材の脱落を防止しつつ、省スペース化および軽量化を図ることができる魚釣用スピニングリールを提供することを課題とする。
【課題を解決するための手段】
【００１０】
このような課題を解決する本発明の魚釣用スピニングリールは、リール本体と、前記リール本体に設けられ、ハンドルの巻取操作に連動回転するロータと、前記ロータのアーム部に設けられ、釣糸巻取位置と釣糸放出位置とに反転自在に支持されたベール支持部材と、前記ロータに設けられ、釣糸放出位置に反転させた前記ベール支持部材に連動して前記リール本体側に移動する移動部材と、前記リール本体に設けられ、前記ロータの釣糸巻取方向の回転により前記移動部材に当接して、釣糸放出位置にある前記ベール支持部材を釣糸巻取位置に復帰させる反転用切換部材と、を備えた魚釣用スピニングリールであって、前記ロータの内側において前記リール本体の前部に装着された円筒状のキャップ部材を備え、前記反転用切換部材は、前記リール本体に対する前記キャップ部材の装着により、前記リール本体に抜け止め固定されていることを特徴とする。
【００１１】
この魚釣用スピニングリールによれば、反転用切換部材は、リール本体に対するキャップ部材の装着により、リール本体に抜け止め固定されているので、リール本体の前部にキャップ部材を装着するだけで、リール本体に反転用切換部材を抜け止め固定することができる。
【００１２】
また、本発明は、前記リール本体における前記反転用切換部材の取付部位には、係止受部およびボス部が設けられており、前記反転用切換部材には、前記係止受部に係止されるフック部と、前記ボス部に嵌合される嵌合部と、が設けられていることを特徴とする。
【００１３】
この魚釣用スピニングリールによれば、係止受部にフック部を係止するとともに、取付部位のボス部に嵌合部を嵌合することによって、取付部位に反転用切換部材を配置することができる。
【００１４】
また、本発明は、前記キャップ部材が、当該キャップ部材の内方から前記反転用切換部材に向けて突出形成された突出部を備えており、前記突出部は、前記リール本体との間に前記反転用切換部材を抜け止め固定することを特徴とする。
【００１５】
この魚釣用スピニングリールによれば、キャップ部材の内方から反転用切換部材に向けて突出形成された突出部を備えているので、キャップ部材の装着による反転用切換部材の抜け止め固定に加えて、突出部により、リール本体との間に反転用切換部材を抜け止め固定することができる。
【発明の効果】
【００１６】
本発明によれば、リール本体の前部にキャップ部材を装着するだけで、リール本体に反転用切換部材を抜け止め固定することができるので、反転用切換部材の脱落（抜け落ち）を好適に防止することができるとともに、別途、ねじ等の固定部材を必要としないので、省スペース化および軽量化を図ることができる。
また、反転用切換部材の装着でリール本体に反転用切換部材を固定することができるので、固定に係る組み付けが簡単であり、また、固定に際して工具等も必要がないので生産性が向上し、コストの低減に寄与する。
【００１７】
また、取付部位に、係止受部およびボス部が設けられ、反転用切換部材に、フック部および嵌合部が設けられた構成では、係止受部にフック部を係止するとともに、取付部位のボス部に嵌合部を嵌合することによって、取付部位に反転用切換部材を配置することができるので、リール本体に反転用切換部材を仮組み付けすることができる。これにより、反転用切換部材の固定が行い易くなり、生産性が向上する。したがって、コストの低減を図ることができる。
また、取付部位の係止受部に対してフック部が係止され、ボス部に対して嵌合部が嵌合されるので、リール本体に対する反転用切換部材の固定強度が高まり、反転用切換部材の脱落をより一層好適に防止することができる。
【００１８】
また、キャップ部材が、当該キャップ部材の内方から反転用切換部材に向けて突出形成された突出部を備えた構成では、キャップ部材の装着による反転用切換部材の抜け止め固定に加えて、突出部により、リール本体との間に反転用切換部材を抜け止め固定することができるので、反転用切換部材の固定強度が高まり、反転用切換部材の脱落をより一層好適に防止することができる。
【図面の簡単な説明】
【００１９】
【図１】本発明の第１実施形態に係る魚釣用スピニングリールの全体構成を示す図である。
【図２】要部の拡大断面図である。
【図３】反転用切換部材の取付構造をキャップ部材の後側から見た拡大断面図である。
【図４】（ａ）は右側方の斜め下方から見たリール本体の斜視図、（ｂ）は右側方から見たリール本体の部分側面図である。
【図５】本発明の第２実施形態に係る魚釣用スピニングリールにおいて反転用切換部材の取付構造をキャップ部材の後側から見た拡大断面図である。
【図６】本発明の第３実施形態に係る魚釣用スピニングリールにおいて反転用切換部材の取付構造をキャップ部材の後側から見た拡大断面図である。
【発明を実施するための形態】
【００２０】
以下、本発明に係る魚釣用スピニングリールの実施形態について図面を参照しながら説明する。各実施形態において、同一の部分には同一の符号を付し、重複する説明は省略する。なお、以下の説明において、「前後」「上下」を言うときは、図１に示した方向を基準とし、「左右」を言うときは、図３に示した方向を基準とする。
【００２１】
（第１実施形態）
図１に示すように、魚釣用スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール３とを有している。
【００２２】
リール本体１には、図示しない軸受を介してハンドル軸４が回転可能に支持されており、その図示しない突出端部には、巻取操作されるハンドル５が取り付けられている。ハンドル軸４には、図示しない軸筒が、回り止めされて固定されている。この軸筒には、ロータ２を巻取駆動するための内歯が形成されたドライブギヤ６が一体的に形成されている。このドライブギヤ６は、ハンドル軸４と直交する方向に延出するとともに内部に軸方向に延出する空洞部を有する駆動軸筒８のピニオンギヤ８ａに噛合している。
【００２３】
駆動軸筒８は、ピニオンギヤ８ａの前側と後側において、軸受１２ａ、１２ｂを介してリール本体１に回転可能に支持されている。また、駆動軸筒８はスプール３側に向けて延出しており、その先端部にロータ２が図示しない締め付けナットを介して取り付けられている。
ピニオンギヤ８ａの前側の軸受１２ａは、図２に示すように、後端がピニオンギヤ８ａの前端、およびリール本体１の前端部中央に形成された凹所の支持部１ａに突き当てられて保持されている。また、軸受１２ａは、他端が後記する転がり式一方向クラッチ１０との間に介挿される抜け止め部材１３によって軸方向で抜け止めされている。
一方、ピニオンギヤ８ａの後側の軸受１２ｂは、ピニオンギヤ８ａの後端とリール本体１に形成された支持部１ｂとの間で挟持されることにより軸方向から固定されている。
【００２４】
また、軸受１２ａの前方において駆動軸筒８には、一方向クラッチ１０が取り付けられ（配置され）ている。一方向クラッチ１０は、ハンドル５（ロータ２、図１参照）の釣糸繰出方向の逆回転を防止する公知の逆転防止機構（ストッパ）を構成している。
一方向クラッチ１０は、公知のように、駆動軸筒８に対して回り止め嵌合された内輪１０ａと、内輪１０ａの外側に配された保持器１０ｂと、保持器１０ｂの外側に配された外輪１０ｃとを有している。外輪１０ｃの内周面には、保持器１０ｂによって保持された図示しない複数の転動部材が設けられており、複数の転動部材の回転がフリーとなるフリー回転領域と、複数の転動部材の回転が阻止される楔領域とが形成されている。
一方向クラッチ１０はリール本体１の下部に設けられた切換部材１１に連動しており、切換部材１１を回動操作することで、一方向クラッチ１０が作動状態と非作動状態とに切り換えられるように構成されている。この場合、切換部材１１を作動状態に切り換えることで、ハンドル５（ロータ２）の逆転方向の回転（釣糸放出方向の回転）が防止されるようになっている。
【００２５】
駆動軸筒８の内部には、空洞部が形成されており、この空洞部には、ハンドル軸４と直交する方向に延出し、先端側にスプール３を取り付けたスプール軸９が、軸方向に移動可能に挿通されている。
【００２６】
スプール軸９の後端部には、スプール軸９を前後動させるためのオシレーティング機構が設けられている。オシレーティング機構は、少なくとも、ドライブギヤ６の歯車６ａに噛合する連動歯車６ｂに設けられた偏芯突部７ａと、スプール軸９の後端部に取り付けられた摺動子７と、この摺動子７に設けられ、偏芯突部７ａと係合する案内溝７ｂと、摺動子７と係合して摺動子７の往復動を案内する図示しないガイドと、を含んで構成されている。
【００２７】
ロータ２は、図１に示すように、スプール３のスカート部３ａ内に位置する円筒部２ａと、一対のアーム部２ｂ，２ｃを具備している。各アーム部２ｂ，２ｃの前端部には、ベール支持部材２ｄ，２ｅが釣糸巻取位置と釣糸放出位置との間で回動自在に支持されており、これらのベール支持部材２ｄ，２ｅ間には、放出状態にある釣糸をピックアップする図示しないベールが配設されている。なお、ベールの一方の基端部は、ベール支持部材２ｄに一体的に設けられた釣糸案内部２ｇに取り付けられている。
【００２８】
スプール３は、スカート部３ａと前側フランジ３ｂとの間に図示しない釣糸が巻回される釣糸巻回胴部３ｃを備えており、スプール軸９に図示しないドラグ機構を介して摩擦結合され、ノブ９ａを回動操作することでスプール３のドラグ力が調節されるようになっている。
【００２９】
このような構成によって、ハンドル５を巻取操作することで、ロータ２がドライブギヤ６およびピニオンギヤ８ａを介して回転駆動され、かつスプール３がピニオンギヤ８ａおよびオシレーティング機構を介して前後動され、図示しない釣糸は、釣糸案内部２ｇを介してスプール３の釣糸巻回胴部３ｃに均等に巻回される。
また、釣糸の放出（仕掛けの投擲）は、ベール支持部材２ｄ、２ｅ（ベール）を反転操作（回動操作）して、釣糸を釣糸案内部２ｇから外した状態にして、人差し指で釣糸を引っ掛け、図示しない釣竿を振り下ろすことで行われる。
【００３０】
そして、ベール支持部材２ｄ，２ｅは、アーム部２ｂに設けられた付勢機構３０によって、釣糸巻取位置または釣糸放出位置に保持されようになっている。
付勢機構３０は、図２に示すように、支軸３１を介してアーム部２ｂに揺動可能に取り付けられた筒状の揺動部材３２と、ベール支持部材２ｄと揺動部材３２とを接続し、かつ揺動部材３２と協働してベール支持部材２ｄを２つの位置に振り分ける振分部材３３と、振分部材３３と揺動部材３２との間に介挿された振分付勢バネ３４とを備えている。
【００３１】
振分部材３３は棒状を呈しており、前端３３ａが外側に屈曲してベール支持部材２ｄの回動支持部近傍に保持されている。振分部材３３の後端３３ｂは、後方へ向けて延設されており、ベール支持部材２ｄが釣糸巻取位置から釣糸放出位置に反転された際に、その後端３３ｂが、移動部材を構成するキックレバー３５に係合可能となっている。
振分付勢バネ３４は、コイル状に構成されて振分部材３３を囲繞するように配され、前端が揺動部材３２の底部に保持され、前端が振分部材３３に設けられたバネ止め突部３３ｃによって抜け止めされたリング３３ｄに保持されている。
【００３２】
図２に示すように、ロータ２の円筒部２ａのリール本体１側の基端部と、アーム部２ｂとの間の接続領域には、その後面側において円筒状の支持突起２ｆが形成されている。この支持突起２ｆには、ロータ２の図示しない軸心（スプール軸９）と略直交する面内においてキックレバー３５が回動可能に支持されている。
キックレバー３５は、その略中心位置が支持突起２ｆに対して回動可能に支持されており、図３に示すように、ねじ３６で抜け止め保持されている。なお、キックレバー３５は、カバー部材２ｈ（図２参照）の装着によってカバー部材２ｈの内面で保持されるように構成してもよい。
【００３３】
キックレバー３５の上端部（一側部）には、アーム部２ｂの内部空間に位置するように、係合突部３５ａが突出形成されている。係合突部３５ａには、ベール支持部材２ｄ（２ｅ、以下同じ）が釣糸放出位置へ反転操作された際に、それに伴って回動する振分部材３３の後端３３ｂが係合するようになっている。
【００３４】
また、キックレバー３５の下端部（他側部）は、支持突起２ｆを中心としてキックレバー３５が回動された際に、ロータ２の軸心側に向けて突出するようになっており、その突出端には、ブレーキ体３７が設けられている。ブレーキ体３７は、円板状で合成ゴム等の弾性体によって構成されており、キックレバー３５の他側部に回転しないように取着されている。
このブレーキ体３７は、図２に示すように、リール本体１の前部に装着された円筒状のキャップ部材１５の後端外周面に接触して、ロータ２の不用意な回転に対して制動力を付与する機能を備えている。また、図３に破線で示すように、リール本体１に取り付けられた後記する反転用切換部材２０に当接して、釣糸放出位置にあるベール支持部材２ｄを釣糸巻取位置に復帰させる機能を備えている。
なお、ブレーキ体３７は、回転可能となるように支持してもよい。この場合、ブレーキ体３７については、高圧力状態（ベールの自動反転復帰に影響を与えない程度）でキャップ部材１５の後端外周面に接触するように構成することが好ましい。
【００３５】
キックレバー３５には、図３に示すように、支持突起２ｆとの間で、フリクションバネ３５ｃが巻回されており、キックレバー３５は、常時、ベール支持部材２ｄ内（図３の二点鎖線で示す位置）に位置するように付勢されている。
ここで、図３の二点鎖線で示す位置にブレーキ体３７が位置している場合は、ベール支持部材２ｄが釣糸巻取位置にあるときであり、図３の実線で示す位置にブレーキ体３７が位置している場合は、ベール支持部材２ｄが反転操作されて釣糸放出位置にあるときである。キックレバー３５は、アルミ合金のような金属、或いは樹脂等によって形成することが可能である。
【００３６】
図１に示すように、リール本体１の前部には、キャップ部材１５が装着されている。キャップ部材１５は、図２に示すように、ロータ２の円筒部２ａの内壁２ａ１に沿って後方へ延在し、かつ内壁２ａ１に対して所定間隔を置いて円筒部２ａの内側に配されるものである。具体的には、図２に示すように、ロータ２の円筒部２ａの内壁２ａ１と一方向クラッチ１０との間に円周壁部１５ａが配置されて、一方向クラッチ１０を包囲するカバー体として構成されている。
【００３７】
このキャップ部材１５は、キャップ部材１５の前側からリール本体１に向けて挿入される図示しないねじの締結によって、リール本体１の前部に固定されるようになっており、固定によって、リール本体１との間に反転用切換部材２０を抜け止め固定するようになっている（図４（ｂ）参照）。
キャップ部材１５の後端下部には、図４（ａ）に示すように、キャップ部材１５の開口縁から切り欠かれた切欠部１５ｂが形成されている。切欠部１５ｂの形状は、図３にも示すように、リール本体１の前部の下部に形成された張出し部１６の外形状に対応したものとなっており、かつ、この張出し部１６の周りに取り付けられる反転用切換部材２０の外形状にも対応したものとなっている。具体的には、切欠部１５ｂは、図４（ａ）に示すように、反転用切換部材２０に対応する部分に切換部材用切欠部１５ｂ１を有しており、キャップ部材１５は、図４（ｂ）に示すように、この切換部材用切欠部１５ｂ１が反転用切換部材２０の右側（円環部２２近傍）に当接して、また、図３に示すように、切欠部１５ｂの端部１５ｅが反転用切換部材２０の左側（フック部２１近傍）に当接して、リール本体１（張出し部１６）との間に反転用切換部材２０が保持されて固定されるようになっている。
なお、張出し部１６内には、図２に示すように、切換部材１１に連動して回動するロッド１１ａが支持されている。ロッド１１ａの前端部は、一方向クラッチ１０に接続されている。
【００３８】
なお、キャップ部材１５は、一方向クラッチ１０をシールする機能、いわゆる各種部品の防水体として機能を兼ね備えていてもよい。具体的には、図２に示すように、キャップ部材１５は、その前端側が駆動軸である駆動軸筒８に向けて径方向内側に屈曲された底部１５ｄを具備しており、その底部１５ｄの中央に開口が形成され、この開口に磁気シール機構１９が配設されている。
磁気シール機構１９は、駆動軸である駆動軸筒８とともに一体回転する回転部との間に設けられていればよく、駆動軸筒８が挿通される一方向クラッチ１０の内輪１０ａの開口部分にユニット体として設置されている。磁気シール機構１９は、磁性流体（磁性膜）を形成して、一方向クラッチ１０をシールしている。なお、径方向に当接するゴムリング（パッキン）等によって構成することも可能である。
なお、キャップ部材１５については、軽量化が図れるように、樹脂等によって形成することが可能である。
また、キャップ部材１５は、完全な円筒状の他、一部に平面部や凹凸部を有していてもよく、正多角形のような、実質的に略円筒状であればよい。
【００３９】
反転用切換部材２０は、張出し部１６に固定された状態で、図３に示すように、反転用切換部材２０の一部（後記する第１の下面２１ｄ、第２の下面２１ｅを含む反転用切換部材２０の下部）が、軸方向の後面視でキャップ部材１５の外周面よりも下側（径方向外側）に膨出配置されるようになっている。
なお、張出し部１６の下部１６ｂの下面は、キャップ部材１５の外周面と面一な円弧面となっている。これにより、この周囲に配置されるロータ２の回転に、張出し部１６の下部１６ｂが妨げとならず、ロータ２の好適な回転が確保されている。
【００４０】
キャップ部材１５の切欠部１５ｂの縁部には、図３、図４（ａ）（ｂ）に示すように、略平板状の突出部１５ｃが一体的に形成されている。突出部１５ｃは、後記するように反転用切換部材２０を抜け止め固定する固定部材として機能するようになっている。
突出部１５ｃは、キャップ部材１５の内方（左方）へ向けて略水平に突出しており、リール本体１の前部にキャップ部材１５を取り付けた状態で、図３、図４（ｂ）に示すように、先端部が張出し部１６に設けられたボス部１６ｃの側方に位置し、右側面１６ｃ１に当接するようになっている。なお、突出部１５ｃは、図４（ｂ）に示すように、前後方向の長さが、ボス部１６ｃに装着される反転用切換部材２０の後記する円環部２２（嵌合部）の外径よりも大きく形成されており、前後方向に亘ってボス部１６ｃと円環部２２とに当接するようになっている。
【００４１】
なお、切換部材用切欠部１５ｂ１は、その切欠縁が若干の隙間をもって反転用切換部材２０に対峙するように構成してもよく、または、その切欠縁が反転用切換部材２０に密着して当接するように構成してもよい。前者の場合には、部品公差、組付公差を吸収することができる。また、後者の場合には、リジットな組み付けを実現することができ、反転用切換部材２０の固定強度を高めることができる。
【００４２】
次に、図３を参照して、張出し部１６の周りの構造について説明する。
張出し部１６には、反転用切換部材２０が取り付けられる他、リール本体１の左側方から装着される本体カバー１Ｂ（図１参照）の取付ボス１７ｂが固定される。取付ボス１７ｂは、下方へ向けて延設された鍔部１７ｃを有しており、張出し部１６の左側面１６ａに取付ボス１７ｂがねじ１８で固定された状態で、左側面１６ａと鍔部１７ｃとの間に隙間が形成されるようになっている。この隙間には、後記するように反転用切換部材２０を構成するフック部２１を挿入して装着することが可能である。なお、本体カバー１Ｂ（図１参照）には、他の取付ボス１７ａ（図３参照）が形成されており、取付ボス１７ａは、キャップ部材１５の内側においてリール本体１の図示しない取付部にねじによって取り付けられるようになっている。
【００４３】
張出し部１６の左側部の下端部には、左側方へ向けて突出する突出部１６ｂ１が形成されている。この突出部１６ｂ１は、前記した隙間に挿入される反転用切換部材２０のフック部２１の引掛部として機能するようになっている。ここで、「前記した隙間および突出部１６ｂ１」は、特許請求の範囲における「係止受部」に相当する。
張出し部１６の下部１６ｂは、突出部１６ｂ１に連続して下方へ膨出しており、下面が円弧面状に（下面が略キャップ部材１５の外周面に連続する凹凸のない円弧面に）形成されている。
張出し部１６の右側部には、右側方へ向けて突出するボス部１６ｃが形成されている。ボス部１６ｃには、反転用切換部材２０の後記する円環部２２が外嵌されるようになっている。また、リール本体１の前部にキャップ部材１５が取り付けられることで、ボス部１６ｃの右側面１６ｃ１には、キャップ部材１５の突出部１５ｃの先端部が当接されるようになっている。
【００４４】
このような張出し部１６に取り付けられる反転用切換部材２０は、釣糸放出位置にあるベール支持部材２ｄを釣糸巻取位置に復帰させる部材であり、ロータ２の軸心側に向けて突出されたキックレバー３５のブレーキ体３７が当接する位置に設けられている。つまり、反転用切換部材２０は、リール本体１の前部の下部において、ロータ２の釣糸巻取方向の回転によるブレーキ体３７の回動軌跡上に配置されている。
【００４５】
反転用切換部材２０は、合成樹脂製であり、下方へ向けて膨出する略円弧状を呈している。反転用切換部材２０の左端部にはフック部２１が形成され、右端部には円環部２２が形成されている。
フック部２１の上部には、上方へ向けて突出する挿入部２１ａが形成されている。この挿入部２１ａは、張出し部１６の左側面１６ａと取付ボス１７ｂの鍔部１７ｃとの間に形成される隙間に挿入可能である。挿入部２１ａの下部には、左方へ向けてアンダーカットされた凹部２１ｂが形成されている。この凹部２１ｂは、張出し部１６の突出部１６ｂ１に掛止可能（係止可能）となっている。
反転用切換部材２０の上面には、凹部２１ｂに連続して湾曲凹設された凹設部２１ｃが形成されている。凹設部２１ｃは、張出し部１６の下部１６ｂの下面に対応した円弧状の上面を有しており、下部１６ｂを下側から包むようにして下部１６ｂの下面に装着されるようになっている。
【００４６】
円環部２２は、軸方向を左右水平方向に向けて立設されており、張出し部１６のボス部１６ｃに外嵌される。円環部２２の右側面は、ボス部１６ｃに円環部２２が外嵌された状態で、ボス部１６ｃの右側面１６ｃ１と略面一とされている。
【００４７】
反転用切換部材２０の下部には、緩やかに傾斜しつつ下方へ膨出する第１の下面２１ｄと、この第１の下面２１ｄに連続して膨出形成され、キャップ部材１５の外周面と同心円状の円弧面とされた第２の下面２１ｅとが形成されている。ここで、キックレバー３５のブレーキ体３７は、図３に示した矢印方向に回動するようになっており、その回動途中で反転用切換部材２０の第１の下面２１ｄに当接して、アーム部２ｂ側に押し戻されるようになっている。なお、第１の下面２１ｄに連続している第２の下面２１ｅによって、キックレバー３５がアーム部２ｂ側に確実に戻されるようになっている。
【００４８】
このような反転用切換部材２０は、例えば次のようにして張出し部１６に取り付けられる。
まず、リール本体１の前部からキャップ部材１５が外された状態で、反転用切換部材２０のフック部２１を張出し部１６の左側面１６ａに近付け、張出し部１６の左側面１６ａと取付ボス１７ｂの鍔部１７ｃとの間に形成される隙間に、フック部２１の挿入部２１ａを挿入する。
その後、前記隙間に挿入した挿入部２１ａを中心として、反転用切換部材２０を張出し部１６の下面に被せる方向に回動させる。このとき、反転用切換部材２０の凹部２１ｂが張出し部１６の突出部１６ｂ１に引っ掛かるように当接して、反転用切換部材２０の回動がスムーズに行われる。
【００４９】
その後、反転用切換部材２０の円環部２２が張出し部１６のボス部１６ｃに近付いたら、反転用切換部材２０の弾性を利用して反転用切換部材２０の円環部２２をボス部１６ｃに外嵌する。これにより、反転用切換部材２０を張出し部１６に取り付けることができる。
【００５０】
張出し部１６に反転用切換部材２０が取り付けられると、反転用切換部材２０の凹設部２１ｃが張出し部１６の下部１６ｂを包むようにして当接する。
また、張出し部１６の右側下面とこれに対向する反転用切換部材２０の上面との間には、若干の間隙Ｓが形成されるようになっている。
この間隙Ｓは、取付時に、反転用切換部材２０の弾性を利用して反転用切換部材２０の円環部２２をボス部１６ｃに外嵌する際の、反転用切換部材２０の弾性変形代として機能する。また、取付後には、この間隙Ｓを反転用切換部材２０の弾性変形代として、反転用切換部材２０に弾力性を付与することができる。これにより、反転用切換部材２０に当接するブレーキ体３７を介してアーム部２ｂ側にキックレバー３５を好適に押し戻すことができる。
なお、キックレバー３５のブレーキ体３７が乗り上げてくる側となる、反転用切換部材２０のフック部２１側では、張出し部１６の左側面１６ａと取付ボス１７ｂの鍔部１７ｃとの間に形成される隙間に挿入部２１ａが挿入保持され、また、張出し部１６の突出部１６ｂ１に反転用切換部材２０の凹部２１ｂが掛止され、さらに、張出し部１６の下部１６ｂを反転用切換部材２０の凹設部２１ｃが包むように当接して保持されている。したがって、フック部２１側において反転用切換部材２０の取付剛性が高められており、ブレーキ体３７が乗り上げてくる際の衝撃等に十分耐え得るものとなっている。
【００５１】
張出し部１６に反転用切換部材２０を取り付けたら、図４（ａ）に示すように、リール本体１の前方からスプール軸９に通すようにしてキャップ部材１５を近付け、図４（ｂ）に示すように、リール本体１の前部にキャップ部材１５を取り付ける。
キャップ部材１５には、切欠部１５ｂに切換部材用切欠部１５ｂ１が形成されているので、この切換部材用切欠部１５ｂ１を通じて、反転用切換部材２０の第１の下面２１ｄおよび第２の下面２１ｅをキャップ部材１５の下方へ突出させることができる。
【００５２】
そして、図３に示すように、リール本体１にキャップ部材１５が取り付けられると、キャップ部材１５の内面から突出形成された突出部１５ｃの先端が、前後方向に亘ってボス部１６ｃと円環部２２とに当接した状態となる（図４（ｂ）参照）。この当接によって、ボス部１６ｃから円環部２２が抜け落ちることが規制され、反転用切換部材２０の脱落が防止される。
【００５３】
このような構成において、釣糸巻取位置から釣糸放出位置へベール支持部材２ｄが反転操作されると、振分部材３３の後端３３ｂがキックレバー３５に係合し、ロータ２の軸心側に向けてブレーキ体３７が突出する。
これによって、ブレーキ体３７がキャップ部材１５の後端外周面に当接し、ロータ２に制動力が付与される。したがって、ロータ２の不要な回転が防止され、釣糸ピックアップ位置の変化や釣糸放出操作時のロータ２の回転による誤復帰が解消される。
【００５４】
この状態からハンドル５を釣糸巻取方向に回転操作すると、ハンドル５の回転駆動力がロータ２に伝わり、ブレーキ体３７による制動力に抗してロータ２が回転する。そして、ロータ２の回転に伴ってブレーキ体３７が反転用切換部材２０に移動すると、図３において破線で示すように、ブレーキ体３７が反転用切換部材２０の第１の下面２１ｄに乗り上げるようにして当接する。
そうすると、ブレーキ体３７がアーム部２ｂ側に押し戻され、フリクションバネ３５ｃにより、アーム部２ｂ内にブレーキ体３７が収容され、このブレーキ体３７の移動に伴ってキックレバー３５が回動する。このキックレバー３５の回動により、振分部材３３が回動し、釣糸放出位置にあるベール支持部材２ｄが釣糸巻取位置に復帰する。
【００５５】
以上説明した本実施形態の魚釣用スピニングリールによれば、反転用切換部材２０は、リール本体１に対するキャップ部材１５の装着により、キャップ部材１５に保持されてリール本体１に抜け止め固定されているので、リール本体１の前部にキャップ部材１５を装着するだけで、リール本体１に反転用切換部材２０を抜け止め固定することができる。
したがって、反転用切換部材２０の脱落を好適に防止することができるとともに、別途、ねじ等の固定部材を必要としないので、省スペース化および軽量化を図ることができる。
また、反転用切換部材２０の装着でリール本体１に反転用切換部材２０を固定することができるので、固定に係る組み付けが簡単であり、また、固定に際して工具等も必要がないので生産性が向上し、コストの低減に寄与する。
【００５６】
張出し部１６の左側部にフック部２１を掛止するとともに、ボス部１６ｃに円環部２２を外嵌することによって、取付部位となる張出し部１６の周りに反転用切換部材２０を配置することができるので、リール本体１に反転用切換部材２０を仮組み付けすることができ、反転用切換部材２０の固定が行い易くなる。したがって、生産性が向上し、コストの低減に寄与する。
また、反転用切換部材２０は、張出し部１６の左側部に対するフック部２１の掛止、およびボス部１６ｃに対する円環部２２の外嵌を伴って固定されるので、リール本体１に対する反転用切換部材２０の固定強度が高まり、反転用切換部材２０の脱落をより一層好適に防止することができる。
【００５７】
また、キャップ部材１５の切換部材用切欠部１５ｂ１や端部１５ｅの当接による反転用切換部材２０の抜け止め固定に加えて、突出部１５ｃにより、リール本体１（張出し部１６のボス部１６ｃ）との間に反転用切換部材２０を抜け止め固定することができるので、反転用切換部材２０の固定強度が高まり、反転用切換部材２０の脱落をより一層好適に防止することができる。
【００５８】
なお、突出部１５ｃは平板状のものに限られることはなく、前後方向に亘ってボス部１６ｃと円環部２２とに当接するものであれば、種々の形状のものを採用し得る。なお、突出部１５ｃは、ボス部１６ｃと円環部２２の片側とに当接するものであってもよいし、ボス部１６ｃと円環部２２の両側とに当接するものであってもよい。
【００５９】
（第２実施形態）
本実施形態では、図５に示すように、反転用切換部材２０Ａの右側部にもフック部２２Ａが形成されている点が前記第１実施形態と異なっている。
フック部２２Ａは、張出し部１６のボス部１６ｃに突設された引掛部１６ｃ２に掛止（係止）可能な掛止部２２ａを有している。
【００６０】
また、キャップ部材１５に形成された切欠部１５ｂの縁部には、後面視で三角形状の突出部１５ｃ１が一体的に形成されている。突出部１５ｃ１は、リール本体１の前部にキャップ部材１５を装着することによって、フック部２２Ａの右側面２２ｂに位置し、先端部が右側面２２ｂに当接して、反転用切換部材２０Ａを抜け止め固定するようになっている。
【００６１】
本実施形態においても、前記第１実施形態と同様の作用効果が得られる。
また、フック部２２Ａにより、反転用切換部材２０Ａの右側部を張出し部１６に簡単に固定することができる。
また、キャップ部材１５をリール本体１に装着すると、フック部２２Ａが突出部１５ｃ１によって好適に押さえられるので、この突出部１５ｃ１によっても反転用切換部材２０Ａを好適に抜け止め固定することができる。
【００６２】
（第３実施形態）
本実施形態では、図６に示すように、反転用切換部材２０Ｂの左側部に形成されるフック部２１Ｂ、および右側部に形成される取付部２２Ｂが、キャップ部材１５の内面を利用してそれぞれ係止されるように構成されている点が前記第１、第２実施形態と異なっている。
【００６３】
張出し部１６に固定される取付ボス１７ｂは、前記した鍔部１７ｃ（図３参照）を有しておらず、フック部２１Ｂは、取付ボス１７ｂの下面１７ｂ１に当接しつつ、張出し部１６の左側面１６ａと、キャップ部材１５の一端縁部１５ｇの内面１５ｇ１と、キャップ部材１５の端部１５ｅと、にそれぞれ当接するようにして、保持されるようになっている。
一方、取付部２２Ｂは、張出し部１６のボス部１６ｃの右側面１６ｃ１と、キャップ部材１５の他端縁部１５ｆの内面１５ｆ１と、切換部材用切欠部１５ｂ１と、にそれぞれ当接するようにして保持されるようになっている。
【００６４】
本実施形態においても、前記第１、第２実施形態と同様の作用効果が得られ、また、キャップ部材１５を、前記した突出部１５ｃ（図３参照）を必要としない単純な形状とすることができ、生産性が高くなる。
また、前記第１〜第３実施形態では、キックレバー３５がロータ２の軸心に向けて（軸心に直交する方向に）出没する構造のものを示したが、これに限られることはなく、振分部材３３に連動するロッド（移動部材）がロータ２の軸方向に沿って後方へ出没する構造のものに本発明を採用しても差し支えない。
この場合には、例えば、キャップ部材１５の装着により脱落不能に固定された反転用切換部材２０の前面に、ロッド（移動部材）を押し戻すための案内面を形成して、この案内面にロッドの後端が当接することによって釣糸放出位置から釣糸巻取位置にベール支持部材２ｄが復帰するように構成することで、前記した作用効果と同様の作用効果が得られる。
【００６５】
また、前記第１、第２実施形態で示した突出部１５ｃは必ずしも設けなくてもよい。
【符号の説明】
【００６６】
１      リール本体
２      ロータ
２ｂ    アーム部
２ｄ    ベール支持部材
５      ハンドル
１５    キャップ部材
１５ｃ  突出部
１６    張出し部
１６ｃ  ボス部
２０    反転用切換部材
２０Ａ  反転用切換部材
２０Ｂ  反転用切換部材
２１    フック部
２１Ｂ  フック部
２２    円環部（嵌合部）
３５    キックレバー（移動部材）
【図１】
2012239451.tif 000003
【図２】
2012239451.tif 000004
【図３】
2012239451.tif 000005
【図４】
2012239451.tif 000006
【図５】
2012239451.tif 000007
【図６】
2012239451.tif 000008